(57)【要約】【課題】  接続部部品の両側に接続された光ファイバを簡単な間仕切りをつけた箱の中に十分に緩く巻いて入れるだけで、クロージャのような用途には小型化も取扱い易さの改善も不十分で、本格的に小型化した、取扱い易い光ファイバ保持部品の実現が強く望まれていた。【解決手段】  弾性体の突起を利用した光ファイバ収納部と接続部部品収納部を弾性体の板状物体の表面に形成するとともに、８の字形に光ファイバを巻回できる光ファイバ収納具を使用して、光ファイバの巻回方向を自由に変えることができ、両方の光ファイバの長さの違いにも簡単に対処できるようにして、本格的に小型化した、取扱い易い光ファイバ保持部品を実現した。【選択図】  図６
2005326626.tif 000002
【特許請求の範囲】
【請求項１】
第１の光ファイバと、第１の光ファイバと第２の光ファイバの間に接続されている部品（以下、接続部部品ともいう）を介して接続された第２の光ファイバと、前記第１の光ファイバと第２の光ファイバの接続部にある前記接続部部品とを収納することができる光ファイバ保持部品において、前記光ファイバ保持部品は、前記第１の光ファイバと第２の光ファイバの少なくとも一方を巻回させて収納することができる光ファイバ収納部を少なくとも２つと前記接続部部品を収納することができる接続部部品収納部を少なくとも１つ有しており、前記光ファイバ保持部品は、その最大寸法を有する方向（以下、光ファイバ保持部品の長さ方向ともいう）の寸法及び光ファイバ保持部品の長さ方向に直交する２つの方向のうちで大きな寸法を有する方の方向（以下、光ファイバ保持部品の幅方向ともいう）の寸法に対して前記光ファイバ保持部品の長さ方向と前記光ファイバ保持部品の幅方向とに直交する方向の寸法である厚み方向の平均寸法が明確に小さい形状（以下、平板状ともいう）をしており、前記平板状の光ファイバ保持部品の少なくとも一方の面（以下、光ファイバ保持部品の表面ともいう）に、前記光ファイバ収納部と前記接続部部品収納部の少なくとも一方を有しており、前記少なくとも２つの光ファイバ収納部のうちの少なくとも１つの光ファイバ収納部には弾性体の突起が複数配置されており、前記弾性体の突起はその径方向の平均寸法に対して長さの方向の平均寸法が大きい突起であり、前記少なくとも２つの光ファイバ収納部のうちの２つの光ファイバ収納部は、その双方を利用して光ファイバを８の字型に巻回させて保持することができる互いに隣り合ったかつ重ならない位置関係に配置されている光ファイバ収納部（以下、それぞれを第１の光ファイバ収納部ともいう）であり、前記接続部部品収納部にはそこに収納する接続部部品を弾性力で押しつけるかあるいは挟み込んで保持することができる弾性体が配置されていることを特徴とする光ファイバ保持部品。
【請求項２】
請求項１に記載の光ファイバ保持部品において、少なくとも１つの前記光ファイバ収納部に配置されている複数の弾性体の突起のうちの主要な弾性体の突起は、当該光ファイバ収納部に光ファイバを収納したときに生じる光ファイバが広がろうとする動きを抑制することができる突起であることを特徴とする光ファイバ保持部品。
【請求項３】
請求項１または２に記載の光ファイバ保持部品において、少なくとも１つの前記光ファイバ収納部に配置されている主要な弾性体の突起と前記接続部部品収納部に配置されている弾性体の少なくとも一部が、根本の最大寸法よりも長さの方が長い棒状あるいは板状の突起であることを特徴とする光ファイバ保持部品。
【請求項４】
請求項１または２に記載の光ファイバ保持部品において、少なくとも１つの前記光ファイバ収納部に配置されている主要な弾性体の突起が根本の最大寸法よりも長さの方が長い棒状あるいは板状の突起であり、前記接続部部品収納部に配置されている弾性体の少なくとも一部が当該接続部部品収納部の壁の一部であることを特徴とする光ファイバ保持部品。
【請求項５】
請求項１〜４のいずれかに記載の光ファイバ保持部品において、前記光ファイバ保持部品は前記光ファイバ保持部品の一方の表面の垂直上方から見た形状が細長形状であることを特徴とする光ファイバ保持部品。
【請求項６】
請求項５に記載の光ファイバ保持部品において、前記光ファイバ保持部品は前記光ファイバ保持部品の一方の表面の垂直上方から見た形状が楕円形もしくは長円形であることを特徴とする光ファイバ保持部品。
【請求項７】
請求項１〜４のいずれかに記載の光ファイバ保持部品において、前記光ファイバ保持部品は前記光ファイバ保持部品の一方の表面の垂直上方から見た形状が円形であることを特徴とする光ファイバ保持部品。
【請求項８】
請求項１〜７のいずれかに記載の光ファイバ保持部品において、前記平板状の光ファイバ保持部品の表面の外周近傍に周回して弾性体の突起が複数配置されていることを特徴とする光ファイバ保持部品。
【請求項９】
請求項１〜８のいずれかに記載の光ファイバ保持部品において、前記第１の光ファイバが１本の光ケーブルとして形成されている光ファイバであり、前記第２の光ファイバが前記第１の光ファイバから分岐された複数本の光ファイバのうちの少なくとも１本であることを特徴とする光ファイバ保持部品。
【請求項１０】
請求項１〜９のいずれかに記載の光ファイバ保持部品において、前記光ファイバ保持部品の一方の表面に前記光ファイバ収納部と前記接続部部品収納部の双方が配置されていることを特徴とする光ファイバ保持部品。
【請求項１１】
請求項１０に記載の光ファイバ保持部品において、前記光ファイバ保持部品の両方の表面それぞれに前記光ファイバ収納部と前記接続部部品収納部の双方が配置されていることを特徴とする光ファイバ保持部品。
【請求項１２】
請求項１〜１１のいずれかに記載の光ファイバ保持部品において、前記光ファイバ保持部品の一方の表面に形成されている前記第１の光ファイバ収納部が３つであることを特徴とする光ファイバ保持部品。
【請求項１３】
請求項１〜１２のいずれかに記載の光ファイバ保持部品において、前記弾性体の突起が複数配置されている光ファイバ収納部が少なくとも１つ、前記平板状の光ファイバ保持部品の表面の外周近傍に周回して配置されている（以下、前記平板状の光ファイバ保持部品の表面の外周近傍に周回して配置されている光ファイバ収納部を、第２の光ファイバ収納部ともいう）ことを特徴とする光ファイバ保持部品。
【請求項１４】
請求項１３に記載の光ファイバ保持部品において、前記光ファイバ保持部品は前記光ファイバ保持部品の一方の表面の垂直上方から見た形状が細長形状であり、前記光ファイバ保持部品の少なくとも一方の表面の外周近傍に周回して配置されている前記第２の光ファイバ収納部には、少なくとも２列の前記突起が前記外周方向に沿って配置されており、その２列の前記突起はその間に光ファイバを収納することができる寸法と間隔に配置されているとともに、前記突起のうちの２本の突起の間から光ファイバを出し入れすることができるような間隔に配置されていることを特徴とする光ファイバ保持部品。
【請求項１５】
請求項１４に記載の光ファイバ保持部品において、前記光ファイバ保持部品の表面の外周近傍に周回して配置されている第２の光ファイバ収納部の前記２列の突起は、前記光ファイバ保持部品の表面の外周に近い方の突起は当該第２の光ファイバ収納部の底面におおむね垂直に形成されており、前記光ファイバ保持部品の表面の外周から遠い方の突起のうちの過半数の突起は当該第２の光ファイバ収納部の底面と鋭角をなすように形成されている突起（以下、光ファイバ収納部鋭角突起ともいう）であることを特徴とする光ファイバ保持部品。
【請求項１６】
請求項１４または１５に記載の光ファイバ保持部品において、前記光ファイバ保持部品の表面の外周近傍に周回して配置されている前記２列の突起のうちの前記光ファイバ保持部品の表面の外周から遠い方の突起の当該第２の光ファイバ収納部の底面からの高さが前記光ファイバ保持部品の表面の外周に近い方の突起の当該第２の光ファイバ収納部の底面からの高さよりも高いことを特徴とする光ファイバ保持部品。
【請求項１７】
請求項１〜１６のいずれかに記載の光ファイバ保持部品において、前記接続部部品収納部の両側に、当該接続部部品収納部の底面と鋭角をなしているとともに、当該接続部部品収納部の底面から遠い位置になるに従って当該接続部部品収納部の幅が狭くなるように形成されている突起が形成されていることを特徴とする光ファイバ保持部品。
【請求項１８】
請求項１７に記載の光ファイバ保持部品において、前記接続部部品収納部の両側に形成されている当該接続部部品収納部の底面と鋭角をなしている突起のうちの前記光ファイバ保持部品の表面の外周に近い方の突起は、前記光ファイバ保持部品の表面の外周に最も近い位置に配置されている突起の列ではない列に配置されている前記光ファイバ収納部鋭角突起の間に配置されている突起（以下、接続部部品収納部外側突起ともいう）であることを特徴とする光ファイバ保持部品。
【請求項１９】
請求項１７または１８に記載の光ファイバ保持部品において、前記接続部部品収納部の両側に当該接続部部品収納部の底面と鋭角をなしている突起がそれぞれ少なくとも２本形成されていることを特徴とする光ファイバ保持部品。
【請求項２０】
請求項１３〜１９のいずれかに記載の光ファイバ保持部品において、前記光ファイバ保持部品の一方の表面に、２個の前記第１の光ファイバ収納部が前記第２の光ファイバ収納部の内側に形成されており、少なくとも１つの前記第１の光ファイバ収納部は、中空でリング状の構造物の外壁が当該第１の光ファイバ収納部の底面と鋭角をなして形成されているとともに当該第１の光ファイバ収納部の内側壁を形成しており、前記内側壁から所定距離離れた位置にある弾性体の複数の突起が当該第１の光ファイバ収納部の外側部を形成しており、前記内側壁と当該第１の光ファイバ収納部の底面とが鋭角をなすように形成されており、前記第１の光ファイバ収納部の外側部を形成している弾性体の突起と当該第１の光ファイバ収納部の底面とが鋭角をなすように形成されていることを特徴とする光ファイバ保持部品。
【請求項２１】
請求項１３〜２０のいずれかに記載の光ファイバ保持部品において、少なくとも１つの前記第１の光ファイバ収納部の内側壁と前記第１の光ファイバ収納部の外側部を形成している複数の弾性体の突起が同心円状に形成されていることを特徴とする光ファイバ保持部品。
【請求項２２】
請求項１３〜２１のいずれかに記載の光ファイバ保持部品において、前記第２の光ファイバ収納部が前記光ファイバ保持部品の表面の外周近傍に周回して少なくとも２つ形成されていることを特徴とする光ファイバ保持部品。
【請求項２３】
請求項１〜２２のいずれかに記載の光ファイバ保持部品において、前記光ファイバ保持部品の表面に少なくとも１つの前記第２の光ファイバ収納部が配置されており、１つの前記第２の光ファイバ収納部の内側に前記第１の光ファイバ収納部が２つ配置されており、前記２つの第１の光ファイバ収納部は同じ寸法形状であるとともに互いに面対称に形成されていることを特徴とする光ファイバ保持部品。
【請求項２４】
請求項２３に記載の光ファイバ保持部品において、前記２つの第１の光ファイバ収納部外側で前記第２の光ファイバ収納部の内側に沿って少なくとも２つの前記接続部部品収納部が配置されていることを特徴とする光ファイバ保持部品。
【請求項２５】
請求項１０または１１に記載の光ファイバ保持部品において、前記平板状の光ファイバ保持部品の表面には、その外周近傍に、前記接続部部品収納部が配置されているとともに、前記接続部部品収納部が配置されている位置よりも内側に前記第１の光ファイバ収納部が少なくとも２つ配置されていることを特徴とする光ファイバ保持部品。
【請求項２６】
請求項２５に記載の光ファイバ保持部品において、前記接続部部品収納部が、前記平板状の光ファイバ保持部品の表面に形成された弾性体の溝と前記平板状の光ファイバ保持部品の表面に形成された弾性体の突起のいずれか一方または双方を用いて構成されていることを特徴とする光ファイバ保持部品。
【請求項２７】
請求項２６に記載の光ファイバ保持部品において、前記接続部部品収納部に形成されている突起は、当該接続部部品収納部の底面と鋭角をなしているとともに、当該接続部部品収納部の底面から遠い位置になるに従って当該接続部部品収納部の幅が狭くなるように形成されている突起であることを特徴とする光ファイバ保持部品。
【請求項２８】
請求項２６または２７に記載の光ファイバ保持部品において、前記接続部部品収納部に形成されている溝は、その少なくとも一方の側面が当該接続部部品収納部の底面と鋭角をなしているとともに、当該接続部部品収納部の底面から遠い位置になるに従って当該接続部部品収納部の幅が狭くなるように形成されている溝であることを特徴とする光ファイバ保持部品。
【請求項２９】
請求項２５〜２８のいずれかに記載の光ファイバ保持部品において、前記接続部部品収納部の、前記平板状の光ファイバ保持部品の表面の前記接続部部品収納部の位置よりも内側に形成されている２つの前記第１の光ファイバ収納部の中間に対応する部分が、他の部分よりも広く形成されていることを特徴とする光ファイバ保持部品。
【請求項３０】
請求項２９に記載の光ファイバ保持部品において、前記接続部部品収納部の他の部分よりも広く形成されている部分の底部に当該平板状の光ファイバ保持部品の裏面まで貫通する穴が形成されていることを特徴とする光ファイバ保持部品。
【請求項３１】
請求項２５〜３０のいずれかに記載の光ファイバ保持部品において、前記平板状の光ファイバ保持部品の表面の上方から見た前記第１の光ファイバ収納部の中央部には当該平板状の光ファイバ保持部品の裏面まで貫通する穴が形成されていることを特徴とする光ファイバ保持部品。
【請求項３２】
請求項２５〜３１のいずれかに記載の光ファイバ保持部品において、前記第１の光ファイバ収納部は、当該平板状の光ファイバ保持部品の表面に垂直な断面形状が、その少なくとも一方に開口部があり、その入口に前記弾性体の突起を配置した凹部になっており、前記第１の光ファイバ収納部の開口部が前記接続部部品収納部よりも上方に位置しているとともに前記接続部部品収納部に隣接して設けられていることを特徴とする光ファイバ保持部品。
【請求項３３】
請求項１〜３２のいずれかに記載の光ファイバ保持部品において、前記光ファイバ保持部品が樹脂を用いた一体成形技術で形成されていることを特徴とする光ファイバ保持部品。
【請求項３４】
請求項３３に記載の光ファイバ保持部品において、前記光ファイバ保持部品がシリコーンゴムで形成されていることを特徴とする光ファイバ保持部品。
【請求項３５】
請求項３３に記載の光ファイバ保持部品において、前記光ファイバ保持部品がフッ素ゴムで形成されていることを特徴とする光ファイバ保持部品。
【請求項３６】
請求項１〜３５のいずれかに記載の光ファイバ保持部品において、前記光ファイバ保持部品に、そこに収納する光ファイバを前記光ファイバ保持部品一方の表面から他方の表面に曲率半径が７．５ｍｍ以下にならないように移行させることができる切り込み部が形成されていることを特徴とする光ファイバ保持部品。
【請求項３７】
請求項１〜３５のいずれかに記載の光ファイバ保持部品において、前記光ファイバ保持部品に、そこに収納する光ファイバを前記光ファイバ保持部品一方の表面から他方の表面に曲率半径が１５ｍｍ以下にならないように移行させることができる切り込み部が形成されていることを特徴とする光ファイバ保持部品。
【請求項３８】
請求項１〜３５のいずれかに記載の光ファイバ保持部品において、前記光ファイバ保持部品に、そこに収納する光ファイバを前記光ファイバ保持部品の一方の表面から他方の表面に曲率半径が３０ｍｍ以下にならないように移行させることができる切り込み部が形成されていることを特徴とする光ファイバ保持部品。
【発明の詳細な説明】
【技術分野】
【０００１】
本発明は、第１の光ファイバと、第１の光ファイバと第２の光ファイバの間に接続されている部品（以下、接続部部品ともいう）を介して接続された第２の光ファイバと、前記第１の光ファイバと第２の光ファイバの接続部にある前記接続部部品とを収納・保護することができる光ファイバ保持部品に関する。
【背景技術】
【０００２】
光通信における本線光ケーブル相互の接続、本線光ファイバケーブルからユーザビルへの分岐光ファイバケーブルの引き込み、あるいはユーザ個人宅へのドロップ光ファイバケーブルの引き込み等を行う際に、光ファイバケーブルの接続部を収納・保護する光ファイバ保持部品としてクロージャが使われている。
【０００３】
このようなクロージャに関しては多くの改善提案がなされている。
【０００４】
たとえば、特開２００２−３２８２４２（以下、特許文献１ともいう）には、光ファイバケーブルの接続作業、収納作業等を効率よく行える光ファイバケーブル接続用クロージャに関する改善提案が記載されている（たとえば、特許文献１の図５，６）。
【０００５】
特開２００４−１０２０７３（以下、特許文献２ともいう）には、光ファイバ心線の接続部を収納するためのファイバ接続部収納部と、光ファイバ心線の余長を収納するためのファイバ余長収納部とをクロージャ本体内における異なる領域に配置して、融着接続した多くの光ファイバ心線をクロージャ本体内に高密度に収納する光ケーブル接続用クロージャが記載されている。
【０００６】
特開２００３−２４０９７３（以下、特許文献３ともいう）には、分岐される光ファイバの長さが短い場合にも光ファイバ余長等を収納処理する光ファイバ接続収納トレイが提案されている。
【０００７】
これらの文献にも考慮されていることであるが、従来、光ファイバの分岐、引き込み等に関して、作業性が良く、各ファイバの識別が容易で、できるだけ小型にしたクロージャを実現しようとの試みがなされている。
【０００８】
しかしながら、光ファイバの曲げに起因する損失増大、硬さ、折れ易さなどの問題で、クロージャの小型化は不十分で、取扱い易さも不十分である。
【０００９】
オプトロニクス社発行の雑誌，ＯＰＴＲＯＮＩＫＳ，Ｎｏ．２６５（２００４．１）の１７８−１８３ページ（以下、非特許文献１ともいう）には、アクセス系光ケーブルと光アクセスクロージャに関しての回折が記載されている。非特許文献１の１８１ページには、各種光ファイバの曲げ特性が記載されている。それによると、ループ状にするときの許容曲げは、ＳＭＦでは直径６０ｍｍ、光ファイバＰｕｒｅＡｃｃｅｓｓでは３０ｍｍ、ＵｌｔｒａＡｃｃｅｓｓでは１５ｍｍとされており、不用意に指で引っかけたような曲げの場合は、それよりも小さい曲率に折り曲げても損失が比較的小さいことが記載されている。
【００１０】
多くの提案を見ると、実際には、前記許容曲げよりも小さな曲率にならないように光ファイバを取り扱うように、各種光ファイバ関連部品、装置が留意されていることが伺われる。
【００１１】
また、光ファイバは硬くて折れやすいため、その取扱いには十分な注意が必要である。
【００１２】
そのため、前記クロージャも、これら光ファイバの取扱いに十分な配慮をせざるを得ず、その小型化、取扱い易さに大きな制約を受けていた。
【００１３】
従来のクロージャにおける光ファイバと接続部の部品の収納の技術思想は、接続部の部品を保持部で固定し、光ファイバは緩く巻いて、巻いたときの形状をあまり制約しないで丸めて、丸めた光ファイバの所々にファイバを押さえる部品を配置して収納していた。
【００１４】
余長処理において、２ｍとか５ｍのように比較的短い光ファイバ自体の収納においても同様の問題があり、これらの問題を解決するためもあり、本発明の発明者は、特開２００１−３１１８３３（以下、特許文献４ともいう）と特開２００３−２２７９４０（以下、特許文献５ともいう）において、弾性体の突起を利用した小型の光ファイバ保持部品を提案した。
【００１５】
現在、光ファイバの分岐、引き込み等に使用されている接続部の部品の例としては、断面が４ｍｍ×４ｍｍで長さが４０ｍｍのものが用いられている。特許文献５と特許文献４の光ファイバ収納具を改善した光ファイバ保持部品で、光ファイバと光ファイバの間に接続された部品をも収納することが提案されているが、断面が４ｍｍ×４ｍｍで長さが４０ｍｍの前記接続部の部品をも収納しようとすると、１つの保持部品を使用する場合には保持部品の直径を大きくするか、光ファイバだけを２個の収納具に巻いたものを接続部部品を挟んで全体を収納するケースに入れて使用されていた。しかし、クロージャの場合のように、両方の光ファイバの接続部部品に接続されている端部とは反対側の端部が外部端子などに固定されている場合には、大型になる上に、使いにくいものであった。
【００１６】
【特許文献１】特開２００２−３２８２４２
【特許文献２】特開２００４−１０２０７３
【特許文献３】特開２００３−２４０９７３
【特許文献４】特開２００１−３１１８３３
【特許文献５】特開２００３−２２７９４０
【非特許文献１】丹治久，大杉哲也，”アクセス系光ケーブル及びクロージャの技術動向”，ＯＰＴＲＯＮＩＫＳ，Ｎｏ．２６５，ｐｐ．１７８−１８３（２００４．１）
【発明の開示】
【発明が解決しようとする課題】
【００１７】
以上説明したように、従来のクロージャや光ファイバ保持部品として提案されている光ファイバ保持部品は、接続部部品と接続された光ファイバを簡単な間仕切りをつけた箱の中に十分に緩く巻いて入れるだけか、光ファイバだけを２個の収納具に巻いたものを接続部部品を挟んで全体を収納するケースに入れて使用するものであり、クロージャのような用途には小型化も取扱い易さの改善も不十分で、本格的に小型化した、取扱い易い光ファイバ保持部品の実現が強く望まれていた。
【００１８】
本発明は、このような点に鑑みて成されたものであり、本発明の目的は、上記の問題を解決して、本格的に小型化した、取扱い易い光ファイバ保持部品を提供することにある。
【課題を解決するための手段】
【００１９】
前記のような諸課題を解決して、本格的に小型化した、取扱い易くて、信頼性の高い光ファイバ保持部品を実現するため、本発明では、技術思想として、前記各特許文献の技術思想とは異なり、光ファイバと光ファイバ間に接続部されている部品とを平板状の収納具に平面的に配置することからはじめ、光ファイバの束縛も無駄をなくして従来より狭い空間に収納する技術思想を用いた。
【００２０】
本発明の目的を達成するため、本発明の請求項１に記載の本発明の光ファイバ保持部品は、
第１の光ファイバと、第１の光ファイバと第２の光ファイバの間に接続されている部品（以下、接続部部品ともいう）を介して接続された第２の光ファイバと、前記第１の光ファイバと第２の光ファイバの接続部にある前記接続部部品とを収納することができる光ファイバ保持部品において、前記光ファイバ保持部品は、前記第１の光ファイバと第２の光ファイバの少なくとも一方を巻回させて収納することができる光ファイバ収納部を少なくとも２つと前記接続部部品を収納することができる接続部部品収納部を少なくとも１つ有しており、前記光ファイバ保持部品は、その最大寸法を有する方向（以下、光ファイバ保持部品の長さ方向ともいう）の寸法及び光ファイバ保持部品の長さ方向に直交する２つの方向のうちで大きな寸法を有する方の方向（以下、光ファイバ保持部品の幅方向ともいう）の寸法に対して前記光ファイバ保持部品の長さ方向と前記光ファイバ保持部品の幅方向とに直交する方向の寸法である厚み方向の平均寸法が明確に小さい形状（以下、平板状ともいう）をしており、前記平板状の光ファイバ保持部品の少なくとも一方の面（以下、光ファイバ保持部品の表面ともいう）に、前記光ファイバ収納部と前記接続部部品収納部の少なくとも一方を有しており、前記少なくとも２つの光ファイバ収納部のうちの少なくとも１つの光ファイバ収納部には弾性体の突起が複数配置されており、前記弾性体の突起はその径方向の平均寸法に対して長さの方向の平均寸法が大きい突起であり、前記少なくとも２つの光ファイバ収納部のうちの２つの光ファイバ収納部は、その双方を利用して光ファイバを８の字型に巻回させて保持することができる互いに隣り合ったかつ重ならない位置関係に配置されている光ファイバ収納部（以下、それぞれを第１の光ファイバ収納部ともいう）であり、前記接続部部品収納部にはそこに収納する接続部部品を弾性力で押しつけるかあるいは挟み込んで保持することができる弾性体が配置されていることを特徴とする光ファイバ保持部品である。
【００２１】
前記第１の光ファイバ収納部と接続部部品収納部の構成は，前記のような接続部部品とそれに接続されている第１の光ファイバと第２の光ファイバとを収納する光ファイバ保持部品の小型化と使い勝手の良さの向上には特に有効であり，この効果は，後述のシリコーンゴムなどを用いた一体成型技術を用いることにより一層顕著なものとなる。
【００２２】
本発明の請求項２に記載の本発明の光ファイバ保持部品は、請求項１に記載の光ファイバ保持部品において、少なくとも１つの前記光ファイバ収納部に配置されている複数の弾性体の突起のうちの主要な弾性体の突起は、当該光ファイバ収納部に光ファイバを収納したときに生じる光ファイバが広がろうとする動きを抑制することができる突起であることを特徴とする光ファイバ保持部品である。
【００２３】
本発明の請求項３に記載の本発明の光ファイバ保持部品は、請求項１または２に記載の光ファイバ保持部品において、少なくとも１つの前記光ファイバ収納部に配置されている主要な弾性体の突起と前記接続部部品収納部に配置されている弾性体の少なくとも一部が、根本の最大寸法よりも長さの方が長い棒状あるいは板状の突起であることを特徴とする光ファイバ保持部品である。
【００２４】
本発明の請求項４に記載の本発明の光ファイバ保持部品は、請求項１または２に記載の光ファイバ保持部品において、少なくとも１つの前記光ファイバ収納部に配置されている主要な弾性体の突起が根本の最大寸法よりも長さの方が長い棒状あるいは板状の突起であり、前記接続部部品収納部に配置されている弾性体の少なくとも一部が当該接続部部品収納部の壁の一部であることを特徴とする光ファイバ保持部品である。
【００２５】
請求項２〜４に記載の発明は，本発明の光ファイバ保持部品の使い勝手と信頼性を大きく向上させるものである。
【００２６】
本発明の請求項５に記載の本発明の光ファイバ保持部品は、請求項１〜４のいずれかに記載の光ファイバ保持部品において、前記光ファイバ保持部品は前記光ファイバ保持部品の一方の表面の垂直上方から見た形状が細長形状であることを特徴とする光ファイバ保持部品である。
【００２７】
本発明の請求項６に記載の本発明の光ファイバ保持部品は、請求項５に記載の光ファイバ保持部品において、前記光ファイバ保持部品は前記光ファイバ保持部品の一方の表面の垂直上方から見た形状が楕円形もしくは長円形であることを特徴とする光ファイバ保持部品である。
【００２８】
請求項５と６に記載の発明は，本発明の光ファイバ保持部品の小型化を進め，クロージャノような用途に好適なものを安価に提供することができる。
【００２９】
本発明の請求項７に記載の本発明の光ファイバ保持部品は、請求項１〜４のいずれかに記載の光ファイバ保持部品において、前記光ファイバ保持部品は前記光ファイバ保持部品の一方の表面の垂直上方から見た形状が円形であることを特徴とする光ファイバ保持部品である。
【００３０】
本発明の請求項８に記載の本発明の光ファイバ保持部品は、請求項１〜７のいずれかに記載の光ファイバ保持部品において、前記平板状の光ファイバ保持部品の表面の外周近傍に周回して弾性体の突起が複数配置されていることを特徴とする光ファイバ保持部品である。
【００３１】
本発明の請求項９に記載の本発明の光ファイバ保持部品は、請求項１〜８のいずれかに記載の光ファイバ保持部品において、前記第１の光ファイバが１本の光ケーブルとして形成されている光ファイバであり、前記第２の光ファイバが前記第１の光ファイバから分岐された複数本の光ファイバのうちの少なくとも１本であることを特徴とする光ファイバ保持部品である。
【００３２】
本発明の請求項１０に記載の本発明の光ファイバ保持部品は、請求項１〜９のいずれかに記載の光ファイバ保持部品において、前記光ファイバ保持部品の一方の表面に前記光ファイバ収納部と前記接続部部品収納部の双方が配置されていることを特徴とする光ファイバ保持部品である。
【００３３】
本発明の請求項１１に記載の本発明の光ファイバ保持部品は、請求項１０に記載の光ファイバ保持部品において、前記光ファイバ保持部品の両方の表面それぞれに前記光ファイバ収納部と前記接続部部品収納部の双方が配置されていることを特徴とする光ファイバ保持部品である。
【００３４】
本発明の請求項１２に記載の本発明の光ファイバ保持部品は、請求項１〜１１のいずれかに記載の光ファイバ保持部品において、前記光ファイバ保持部品の一方の表面に形成されている前記第１の光ファイバ収納部が３つであることを特徴とする光ファイバ保持部品である。
【００３５】
本発明の請求項１３に記載の本発明の光ファイバ保持部品は、請求項１〜１２のいずれかに記載の光ファイバ保持部品において、前記弾性体の突起が複数配置されている光ファイバ収納部が少なくとも１つ、前記平板状の光ファイバ保持部品の表面の外周近傍に周回して配置されている（以下、前記平板状の光ファイバ保持部品の表面の外周近傍に周回して配置されている光ファイバ収納部を、第２の光ファイバ収納部ともいう）ことを特徴とする光ファイバ保持部品である。
【００３６】
本発明の請求項１４に記載の本発明の光ファイバ保持部品は、請求項１３に記載の光ファイバ保持部品において、前記光ファイバ保持部品は前記光ファイバ保持部品の一方の表面の垂直上方から見た形状が細長形状であり、前記光ファイバ保持部品の少なくとも一方の表面の外周近傍に周回して配置されている前記第２の光ファイバ収納部には、少なくとも２列の前記突起が前記外周方向に沿って配置されており、その２列の前記突起はその間に光ファイバを収納することができる寸法と間隔に配置されているとともに、前記突起のうちの２本の突起の間から光ファイバを出し入れすることができるような間隔に配置されていることを特徴とする光ファイバ保持部品である。
【００３７】
本発明の請求項１５に記載の本発明の光ファイバ保持部品は、請求項１４に記載の光ファイバ保持部品において、前記光ファイバ保持部品の表面の外周近傍に周回して配置されている第２の光ファイバ収納部の前記２列の突起は、前記光ファイバ保持部品の表面の外周に近い方の突起は当該第２の光ファイバ収納部の底面におおむね垂直に形成されており、前記光ファイバ保持部品の表面の外周から遠い方の突起のうちの過半数の突起は当該第２の光ファイバ収納部の底面と鋭角をなすように形成されている突起（以下、光ファイバ収納部鋭角突起ともいう）であることを特徴とする光ファイバ保持部品である。
【００３８】
このように形成した本発明の光ファイバ保持部品は、光ファイバの収納が短時間で簡単に行えるとともに，収納の信頼性を高めることができるものである。
【００３９】
本発明の請求項１６に記載の本発明の光ファイバ保持部品は、請求項１４または１５に記載の光ファイバ保持部品において、前記光ファイバ保持部品の表面の外周近傍に周回して配置されている前記２列の突起のうちの前記光ファイバ保持部品の表面の外周から遠い方の突起の当該第２の光ファイバ収納部の底面からの高さが前記光ファイバ保持部品の表面の外周に近い方の突起の当該第２の光ファイバ収納部の底面からの高さよりも高いことを特徴とする光ファイバ保持部品である。この突起の高さの違いは，作業性を大幅に高める効果をもたらす。
【００４０】
本発明の請求項１７に記載の本発明の光ファイバ保持部品は、請求項１〜１６のいずれかに記載の光ファイバ保持部品において、前記接続部部品収納部の両側に、当該接続部部品収納部の底面と鋭角をなしているとともに、当該接続部部品収納部の底面から遠い位置になるに従って当該接続部部品収納部の幅が狭くなるように形成されている突起が形成されていることを特徴とする光ファイバ保持部品である。
【００４１】
本発明の請求項１８に記載の本発明の光ファイバ保持部品は、請求項１７に記載の光ファイバ保持部品において、前記接続部部品収納部の両側に形成されている当該接続部部品収納部の底面と鋭角をなしている突起のうちの前記光ファイバ保持部品の表面の外周に近い方の突起は、前記光ファイバ保持部品の表面の外周に最も近い位置に配置されている突起の列ではない列に配置されている前記光ファイバ収納部鋭角突起の間に配置されている突起（以下、接続部部品収納部外側突起ともいう）であることを特徴とする光ファイバ保持部品である。
【００４２】
本発明の請求項１９に記載の本発明の光ファイバ保持部品は、請求項１７または１８に記載の光ファイバ保持部品において、前記接続部部品収納部の両側に当該接続部部品収納部の底面と鋭角をなしている突起がそれぞれ少なくとも２本形成されていることを特徴とする光ファイバ保持部品である。接続部部品は多くの場合，細長い形状であり，接続部部品収納部の幅方向に対抗するように長手方向に少なくとも２本ずつ突起を形成しておけば、着脱が容易でかつ安定に収納することができる。
【００４３】
本発明の請求項２０に記載の本発明の光ファイバ保持部品は、請求項１３〜１９のいずれかに記載の光ファイバ保持部品において、前記光ファイバ保持部品の一方の表面に、２個の前記第１の光ファイバ収納部が前記第２の光ファイバ収納部の内側に形成されており、少なくとも１つの前記第１の光ファイバ収納部は、中空でリング状の構造物の外壁が当該第１の光ファイバ収納部の底面と鋭角をなして形成されているとともに当該第１の光ファイバ収納部の内側壁を形成しており、前記内側壁から所定距離離れた位置にある弾性体の複数の突起が当該第１の光ファイバ収納部の外側部を形成しており、前記内側壁と当該第１の光ファイバ収納部の底面とが鋭角をなすように形成されており、前記第１の光ファイバ収納部の外側部を形成している弾性体の突起と当該第１の光ファイバ収納部の底面とが鋭角をなすように形成されていることを特徴とする光ファイバ保持部品である。
【００４４】
本発明の請求項２１に記載の本発明の光ファイバ保持部品は、請求項１３〜２０のいずれかに記載の光ファイバ保持部品において、少なくとも１つの前記第１の光ファイバ収納部の内側壁と前記第１の光ファイバ収納部の外側部を形成している複数の弾性体の突起が同心円状に形成されていることを特徴とする光ファイバ保持部品であり、光ファイバを小型に高信頼性をもって収納することができるものである。
【００４５】
本発明の請求項２２に記載の本発明の光ファイバ保持部品は、請求項１３〜２１のいずれかに記載の光ファイバ保持部品において、前記第２の光ファイバ収納部が前記光ファイバ保持部品の表面の外周近傍に周回して少なくとも２つ形成されていることを特徴とする光ファイバ保持部品である。
【００４６】
本発明の請求項２３に記載の本発明の光ファイバ保持部品は、請求項１〜２２のいずれかに記載の光ファイバ保持部品において、前記光ファイバ保持部品の表面に少なくとも１つの前記第２の光ファイバ収納部が配置されており、１つの前記第２の光ファイバ収納部の内側に前記第１の光ファイバ収納部が２つ配置されており、前記２つの第１の光ファイバ収納部は同じ寸法形状であるとともに互いに面対称に形成されていることを特徴とする光ファイバ保持部品である。
【００４７】
本発明の請求項２４に記載の本発明の光ファイバ保持部品は、請求項２３に記載の光ファイバ保持部品において、前記２つの第１の光ファイバ収納部外側で前記第２の光ファイバ収納部の内側に沿って少なくとも２つの前記接続部部品収納部が配置されていることを特徴とする光ファイバ保持部品である。
【００４８】
前記のような第１の光ファイバ収納部と第２の光ファイバ収納部は、光ファイバの収納のあり方を多様に許容するものである。
【００４９】
本発明の請求項２５に記載の本発明の光ファイバ保持部品は、請求項１０または１１に記載の光ファイバ保持部品において、前記平板状の光ファイバ保持部品の表面には、その外周近傍に、前記接続部部品収納部が配置されているとともに、前記接続部部品収納部が配置されている位置よりも内側に前記第１の光ファイバ収納部が少なくとも２つ配置されていることを特徴とする光ファイバ保持部品である。
【００５０】
この構成を利用して，光ファイバ保持部品の大幅な小型化を進めることができる。
【００５１】
本発明の請求項２６に記載の本発明の光ファイバ保持部品は、請求項２５に記載の光ファイバ保持部品において、前記接続部部品収納部が、前記平板状の光ファイバ保持部品の表面に形成された弾性体の溝と前記平板状の光ファイバ保持部品の表面に形成された弾性体の突起のいずれか一方または双方を用いて構成されていることを特徴とする光ファイバ保持部品である。
【００５２】
本発明の請求項２７に記載の本発明の光ファイバ保持部品は、請求項２６に記載の光ファイバ保持部品において、前記接続部部品収納部に形成されている突起は、当該接続部部品収納部の底面と鋭角をなしているとともに、当該接続部部品収納部の底面から遠い位置になるに従って当該接続部部品収納部の幅が狭くなるように形成されている突起であることを特徴とする光ファイバ保持部品である。
【００５３】
本発明の請求項２８に記載の本発明の光ファイバ保持部品は、請求項２６または２７に記載の光ファイバ保持部品において、前記接続部部品収納部に形成されている溝は、その少なくとも一方の側面が当該接続部部品収納部の底面と鋭角をなしているとともに、当該接続部部品収納部の底面から遠い位置になるに従って当該接続部部品収納部の幅が狭くなるように形成されている溝であることを特徴とする光ファイバ保持部品である。
【００５４】
本発明の請求項２９に記載の本発明の光ファイバ保持部品は、請求項２５〜２８のいずれかに記載の光ファイバ保持部品において、前記接続部部品収納部の、前記平板状の光ファイバ保持部品の表面の前記接続部部品収納部の位置よりも内側に形成されている２つの前記第１の光ファイバ収納部の中間に対応する部分が、他の部分よりも広く形成されていることを特徴とする光ファイバ保持部品である。これにより、小型化した光ファイバ保持部品においても接続部部品の着脱が正確で、容易になる。
【００５５】
本発明の請求項３０に記載の本発明の光ファイバ保持部品は、請求項２９に記載の光ファイバ保持部品において、前記接続部部品収納部の他の部分よりも広く形成されている部分の底部に当該平板状の光ファイバ保持部品の裏面まで貫通する穴が形成されていることを特徴とする光ファイバ保持部品である。この穴の利用方法はいくつかあるが，たとえば、下からピンのようなものを入れて，収納されている接続部部品を押し上げることにより，接続部部品が多少きつく，深く挿入されていても、簡単に取り出すことができる。
【００５６】
本発明の請求項３１に記載の本発明の光ファイバ保持部品は、請求項２５〜３０のいずれかに記載の光ファイバ保持部品において、前記平板状の光ファイバ保持部品の表面の上方から見た前記第１の光ファイバ収納部の中央部には当該平板状の光ファイバ保持部品の裏面まで貫通する穴が形成されていることを特徴とする光ファイバ保持部品である。
【００５７】
本発明の請求項３２に記載の本発明の光ファイバ保持部品は、請求項２５〜３１のいずれかに記載の光ファイバ保持部品において、前記第１の光ファイバ収納部は、当該平板状の光ファイバ保持部品の表面に垂直な断面形状が、その少なくとも一方に開口部があり、その入口に前記弾性体の突起を配置した凹部になっており、前記第１の光ファイバ収納部の開口部が前記接続部部品収納部よりも上方に位置しているとともに前記接続部部品収納部に隣接して設けられていることを特徴とする光ファイバ保持部品である。
【００５８】
本発明の請求項３３に記載の本発明の光ファイバ保持部品は、請求項１〜３２のいずれかに記載の光ファイバ保持部品において、前記光ファイバ保持部品が樹脂を用いた一体成形技術で形成されていることを特徴とする光ファイバ保持部品である。
【００５９】
本発明の請求項３４に記載の本発明の光ファイバ保持部品は、請求項３３に記載の光ファイバ保持部品において、前記光ファイバ保持部品がシリコーンゴムで形成されていることを特徴とする光ファイバ保持部品である。
【００６０】
本発明の請求項３５に記載の本発明の光ファイバ保持部品は、請求項３３に記載の光ファイバ保持部品において、前記光ファイバ保持部品がフッ素ゴムで形成されていることを特徴とする光ファイバ保持部品である。
【００６１】
本発明の請求項３６に記載の本発明の光ファイバ保持部品は、請求項１〜３５のいずれかに記載の光ファイバ保持部品において、前記光ファイバ保持部品に、そこに収納する光ファイバを前記光ファイバ保持部品一方の表面から他方の表面に曲率半径が７．５ｍｍ以下にならないように移行させることができる切り込み部が形成されていることを特徴とする光ファイバ保持部品である。
【００６２】
本発明の請求項３７に記載の本発明の光ファイバ保持部品は、請求項１〜３５のいずれかに記載の光ファイバ保持部品において、前記光ファイバ保持部品に、そこに収納する光ファイバを前記光ファイバ保持部品一方の表面から他方の表面に曲率半径が１５ｍｍ以下にならないように移行させることができる切り込み部が形成されていることを特徴とする光ファイバ保持部品である。
【００６３】
本発明の請求項３８に記載の本発明の光ファイバ保持部品は、請求項１〜３５のいずれかに記載の光ファイバ保持部品において、前記光ファイバ保持部品に、そこに収納する光ファイバを前記光ファイバ保持部品の一方の表面から他方の表面に曲率半径が３０ｍｍ以下にならないように移行させることができる切り込み部が形成されていることを特徴とする光ファイバ保持部品である。
【発明の効果】
【００６４】
以上のような本発明は、平板状の光ファイバ保持部品の表面と裏面のいずれかに、第１の光ファイバと第２の光ファイバを収納する光ファイバ収納部と前記両ファイバ間に接続されている接続部部品を収納する接続部部品収納部とを平面的に収納するとともに、光ファイバを光ファイバ収納部に周回して収納する場合に、前記接続部部品によって光ファイバを傷つけることなく、かつ、周回収納による通信に問題になるような光ファイバの損失増大を招くことなく光ファイバをコンパクトに収納できる光ファイバ保持部品を安価に実現することができるという大きな効果を奏するとともに、本発明の光ファイバ保持部品は、作業における取扱いが容易で、収納している光ファイバの識別も可能に収納することができ、前記両ファイバの接続部部品に接続されている端部とは逆方向の端部が他の端子などに固定されている場合にも各光ファイバを光ファイバ収納部に巻回して収納することができ、また、第１の光ファイバと第２の光ファイバの長さが違う場合にも簡単に光ファイバ収納部に巻回して収納することができるという大きな効果を奏する。
【発明を実施するための最良の形態】
【００６５】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。
【００６６】
本発明の基本的技術思想は、前記課題を解決するための手段にて説明したものであるが、以下、いくつかの実施例を用いて本発明をさらに詳しく説明する。
【実施例１】
【００６７】
図１〜５は、本発明の実施の形態例としての光ファイバ保持部品を説明するための図で、図１は光ファイバ保持部品を上から見た平面図に説明のための線を一部書き加えた図、図２は図１の直線Ｘ１−Ｘ２の位置で切った断面図、図３は図１の直線Ｘ３−Ｘ４の位置で切った断面図、図４は前記光ファイバ保持部品に光ファイバと接続部品を収納する方法を説明する図、図５は前記光ファイバ保持部品に光ファイバと接続部品を収納する他の方法を説明する図である。
【００６８】
図１〜５で、符号２００は光ファイバ保持部品、２１０は光ファイバ保持部品の一方の表面、２０４と２０５は表面２１０に形成されている第１の光ファイバ収納部、２１４は表面２１０に形成されている第２の光ファイバ収納部、２１５と２１６は表面２１０に形成されている接続部部品収納部、２０１と２０２は表面２１０の外周に沿って形成されており第２の光ファイバ収納部２１４を形成している弾性体の突起で、２０１は表面２１０の外周に近い方に形成されている突起で第２の光ファイバ収納部２１４の底面に垂直に形成されている突起、２０２は表面２１０の外周から遠い方に形成されている突起で第２の光ファイバ収納部２１４の底面と鋭角をなして形成されている突起、２０２ａ〜２０２ｄは突起２０２のうちの接続部部品収納部２１５の近傍にある突起、２０３ａ〜２０３ｆは接続部部品収納部２１５を形成している突起で接続部部品収納部２１５の底面と鋭角をなして形成されている弾性体の突起、２０４ａはその外壁が第１の光ファイバ収納部２０４の内側壁を形成している中空でリング状の構造物、２０４ｂは第１の光ファイバ収納部２０４の底面２０８と鋭角をなして形成されているリング状の構造物２０４ａの外壁と第１の光ファイバ収納部の底面との境界線あるいはその位置を示す線、２０４ｃはリング状の構造物２０４ａの中空になっている側の内側壁、２０４ｄはリング状の構造物２０４ａの中空になっている部分、２０４ｅは図２の断面図の断面から見えるリング状の構造物２０４ａの上部を示す線、２０４ｆは光ファイバ保持部品２００の裏面を示す線、２０５ａはその外壁が第１の光ファイバ収納部２０５の内側壁を形成している中空でリング状の構造物、２０５ｂは第１の光ファイバ収納部２０５の底面と鋭角をなして形成されているリング状の構造物２０５ａの外壁と第１の光ファイバ収納部２０５の底面との境界線の位置を示す破線、２０５ｃはリング状の構造物２０５ａの中空になっている側の内側壁、２０５ｄはリング状の構造物２０５ａの中空になっている部分、２０６ａ〜２０６ｄはリング状の構造物２０４ａの外壁とともに第１の光ファイバ収納部２０４の一部を構成している弾性体の突起、２０７ａ〜２０７ｃはリング状の構造物２０５ａの外壁とともに第１の光ファイバ収納部２０５の一部を構成している弾性体の突起、２１１は接続部部品、２１２は第１の光ファイバ、２１３は第２の光ファイバである。
【００６９】
第１の光ファイバ収納部２０４の内側壁を形成しているリング状の構造物２０４ａの外壁と第１の光ファイバ収納部２０４の外側部を形成している弾性体の突起２０６ａ〜２０６ｄなどの複数の弾性体の突起は同心円状に形成されている。
【００７０】
図４は、図１〜３に示した本発明の実施の形態例としての光ファイバ保持部品２００に接続部部品２１１とそれに接続されている第１の光ファイバ２１２と第２の光ファイバ２１３とを収納する方法を説明する図で、図１に図示した接続部部品収納部２１５を形成している突起２０３ａ〜２０３ｃと突起２０３ｄ〜２０３ｆの間に接続部部品２１１を上から押しつけると、突起２０３ａ〜２０３ｃと突起２０３ｄ〜２０３ｆは左右に押し開かれて、接続部部品２１１を接続部部品収納部２１５に挿入することができる。
【００７１】
接続部部品収納部２１５に挿入された接続部部品２１１は、突起２０３ａ〜２０３ｃと突起２０３ｄ〜２０３ｆの復元力によって、接続部部品収納部２１５に安定して保持される。
【００７２】
つぎに、第２の光ファイバ２１３は、図示のように、曲率半径が３０ｍｍよりも十分に大きい変形で第２の光ファイバ収納部２１４に収納される。
【００７３】
第１の光ファイバ２１２は第１の光ファイバ収納部２０４の突起２０６ａの外側を通り突起２０６ｂの内側を通って第１の光ファイバ収納部２０４に収納され、第１の光ファイバ収納部２０４を半周余り巻回して、突起２０６ｄの内側を通って第１の光ファイバ収納部２０５の突起２０７ａの内側から第１の光ファイバ収納部２０５に巻回され、突起２０７ｃの内側を通過してから、第１の光ファイバ収納部２０５を出て、第２の光ファイバ収納部２１４に収納され、第２の光ファイバ２１３とともに第２の光ファイバ収納部２１４に同じ方向に巻回されて収納される。
【００７４】
第１の光ファイバ２１２と第２の光ファイバ２１３の接続部部品２１１に接続されている側と反対側の端部は、図示していないが、光ファイバ保持部品２００の外部にある所定の接続部にそれぞれ別々に接続されている。
【００７５】
第２の光ファイバ収納部２１４に同じ方向に巻回されて収納されて後、第１の光ファイバ２１２と第２の光ファイバ２１３は、それぞれ適切なところの突起の間から光ファイバ保持部品２００の外部に出る。
【００７６】
第１の光ファイバ収納部２０４と第１の光ファイバ収納部２０５を利用して、収納される光ファイバの収納される長さを適宜調節することができるので、第１の光ファイバ２１２と第２の光ファイバ２１３長さは任意にすることができる。
【００７７】
図５は、図１〜３に示した本発明の実施の形態例としての光ファイバ保持部品２００に接続部部品２１１とそれに接続されている第１の光ファイバ２１２と第２の光ファイバ２１３とを収納する他の方法を説明する図で、接続部部品２１１の収納方法は図４の場合と同様である。
【００７８】
図４の場合と異なるところは、第１の光ファイバ２１２は、第１の光ファイバ収納部２０４と第１の光ファイバ収納部２０５に交互に８の字状に巻回されて後、巻回すべき長さに調節の必要があれば、第１の光ファイバ収納部２０４と第１の光ファイバ収納部２０５のうちのいずれかにのみ巻回する部分をつくったり、第１の光ファイバ収納部２０４と第１の光ファイバ収納部２０５の間を、８の字状に巻回するのと長円状に巻回するのを組み合わせるなど、本発明の光ファイバ保持部品の特徴を利用して、種々の巻回方法を利用することができる。
【００７９】
そして、光ファイバ保持部品２００の適切なところから第１の光ファイバ２１２と第２の光ファイバ２１３を外部に引き出すことができる。
【００８０】
断面が４ｍｍ×４ｍｍで長さが４０ｍｍの接続部部品２１１を接続部部品収納部２１５に収納している図４と図５の例の場合の好適な寸法例は、これに狭く限定されるものではないが、光ファイバ保持部品２００の長円形の表面の長径（長さ）が１０２．８ｍｍ、短径（幅）が６２．３ｍｍ、厚みが７ｍｍである。この寸法は、従来では考えられない小型さである。
【実施例２】
【００８１】
図６〜１０は、本発明の実施の形態例としての光ファイバ保持部品を説明するための図で、図６は光ファイバ保持部品を上から見た平面図、図７は光ファイバ保持部品を上から見た平面図に説明のための線を一部書き加えた図、図８は図６の直線Ｘ５−Ｘ６の位置で切った断面図、図９は図６の直線Ｘ７−Ｘ８の位置で切った断面図、図１０は前記光ファイバ保持部品に光ファイバと接続部部品を収納する方法を説明する図である。
【００８２】
図６〜１０で、符号２５０は光ファイバ保持部品、２６０は光ファイバ保持部品２５０の一方の表面、２５４と２５５は表面２６０に形成されている第１の光ファイバ収納部、２６５と２６６は表面２６０に形成されている接続部部品収納部、２６５ａと２６６ａは接続部部品収納部２６５と２６６に形成されている貫通孔、２６５ｂと２６６ｂは接続部部品収納部２６５と２６６の側壁でそれぞれ接続部部品収納部の底面に鋭角に形成されている側壁、２５１は表面２６０の外周に沿って形成されており接続部部品収納部２６５と２６６に連続して形成されている凹部、２５２は表面２６０の外周に沿って形成されいる凹部２５１の側壁、２５４ａは表面２６０の第１の光ファイバ収納部２５４が形成されている部分であって第１の光ファイバ収納部２５４の上面、２５４ｂは第１の光ファイバ収納部２５４に形成されている弾性体の突起あるいはその形成されている位置を示す符号、２５４ｃは第１の光ファイバ収納部２５４が形成されている位置を示す線、２５４ｄは第１の光ファイバ収納部２５４が形成されている内側に形成された穴で表面２６０から裏面まで貫通している穴、２５４ｅは図８の断面図の断面から見える第１の光ファイバ収納部２５４の上面２５４ａを示す線、２５４ｆは光ファイバ保持部品２５０の裏面を示す線、２５５ａは表面２６０の第１の光ファイバ収納部２５５が形成されている部分であって第１の光ファイバ収納部２５５の上面、２５５ｂは第１の光ファイバ収納部２５５に形成されている弾性体の突起あるいはその形成されている位置を示す符号、２５５ｃは第１の光ファイバ収納部２５５が形成されている位置を示す線、２５５ｄは第１の光ファイバ収納部２５５が形成されている内側に形成された穴で表面２６０から裏面まで貫通している穴、２５５ｅは図８の断面図の断面から見える第１の光ファイバ収納部２５５の上面２５５ａを示す線、２５５ｆは光ファイバ保持部品２５０の裏面を示す線、２５７は第１の光ファイバ収納部の底面と同じ高さの面、２５８は接続部部品収納部の中央部近傍すなわち２つの前記第１の光ファイバ収納部の中間に対応する部分に形成された切欠部分（接続部部品収納部の、他の部分よりも広く形成された部分）である。
【００８３】
図１０に、光ファイバ保持部品２５０に接続部部品２１１とそれに接続されている第１の光ファイバ２１２と第２の光ファイバ２１３とを収納する方法を示してある。
【００８４】
図１０で、まず接続部部品２１１を接続部部品収納部２６５の溝の入口に押し当て、軽く押し込む。そうすると、接続部部品収納部２６５の溝が少し押し拡げられて、接続部部品２１１を接続部部品収納部２６５の底部の方に挿入することが出来る。接続部部品収納部２６５の溝は弾性体で接続部部品収納部２６５の底面と鋭角をなすように形成されているので、接続部部品２１１を挿入された溝は、接続部部品２１１を溝の下方に押すように作用する。
【００８５】
つぎに、第１の光ファイバ２１２と第２の光ファイバ２１３を第１の光ファイバ収納部２５４と２５５に巻回して収納する。光ファイバの収納の仕方は、実施例１の場合と同様に、第１の光ファイバ収納部２５４と第１の光ファイバ収納部２５５の位置関係を利用して、８の字形に巻回する方法と、長円形に巻回する方法と、第１の光ファイバ収納部２５４と第１の光ファイバ収納部２５５のいずれか一方に巻回する方法とを適宜選択し、あるいは適宜組み合わせて行うことができ、第１の光ファイバ２１２と第２の光ファイバ２１３の長さの違いや、端部の固定の有無に関わらず、極めて広い範囲で適用することができる。
【００８６】
図１１〜１３は、光ファイバ保持部品２５０の好適な寸法例を説明する図で、それぞれ図７〜図９に対応する図である。符号Ｗ１は第１の光ファイバ収納部２５４と第１の光ファイバ収納部２５５の中心間距離、Ｗ２は凹部２５１の側壁２５２の長径、Ｗ３は長円形の表面を有する光ファイバ保持部品２５０の長径、Ｗ４は凹部２５１の幅、Ｗ５は長円形の表面を有する光ファイバ保持部品２５０の短径、ｔ１は突起２５４ｂ，２５５ｂの長さ、ｔ２は光ファイバ保持部品２５０の厚み、ｔ３は凹部２５１の側壁２５２の光ファイバ保持部品２５０の裏面からの高さ、ｔ４は凹部２５１の底部の厚み、ｔ５は第１の光ファイバ収納部２５４，２５５の幅、φ１は第１の光ファイバ収納部の外径、φ２は突起が形成されている円周の直径、φ３は第１の光ファイバ収納部の内壁の位置の直径、φ４は第１の光ファイバ収納部２５５が形成されている内側に形成された穴の直径、θが隣り合った２つの突起２５４ｂが張る中心角、Ｒは切欠部分２５８の曲率半径である。
【００８７】
断面が４ｍｍ×４ｍｍで長さが４０ｍｍの接続部部品２１１を接続部部品収納部２６５に収納している図１０の例の場合の好適な寸法例は、これに狭く限定されるものではないが、Ｗ１が４２ｍｍ，Ｗ２が８２ｍｍ，Ｗ３が９４ｍｍ，Ｗ４が３．９５ｍｍ，Ｗ５が５２ｍｍ，ｔ１が１．８ｍｍ，ｔ２が８．５ｍｍ，ｔ３が５．５ｍｍ，ｔ４が１．５ｍｍ，ｔ５が２ｍｍ，φ１が４０ｍｍ，φ２が３８ｍｍ，φ３が３０ｍｍ，φ４が２６ｍｍ，θが１０°、Ｒが７．５ｍｍである。この寸法は、従来では考えられない小型さである。
【００８８】
請求項１に記載の第１の光ファイバ収納部のような、２つの光ファイバ収納部を、その双方を利用して光ファイバを８の字型に巻回させて保持することができる互いに隣り合ったかつ重ならない位置関係に配置されている光ファイバ収納部は、接続部部品から互いに逆方向にでている第１の光ファイバと第２の光ファイバのうちの一方の巻回方向を逆転させて、途中から双方を同じ方向に巻回させるように用いることもでき、２つの光ファイバ収納部うちの一方にのみ巻回することを利用して巻回長さ調整に利用することもできるなど、前記のように多くの効果をもたらすものである。
【００８９】
本発明の光ファイバ保持部品２００と２５０を樹脂を用いた一体成形技術で形成することにより、小型で使いやすい光ファイバ保持部品にすることができる。たとえば、シリコーンゴムを用いて一体成形した本発明の光ファイバ保持部品は、小型で、適度に変形させることができ、使い勝手の良い、安価な光ファイバ保持部品となる。フッ素ゴムを用いて一体成形した本発明の光ファイバ保持部品は、通常の屋内配線とは異なる、何らかの理由でアウトガスを好まない環境に晒されるような用途にも使用することができる。
【００９０】
本発明の光ファイバ保持部品２００と２５０として、第１の光ファイバ収納部が２つの場合について説明したが、第１の光ファイバ収納部を３個にすることもでき、さらの増やすこともできる。
【００９１】
第１の光ファイバ収納部として弾性体の突起と側壁で構成した例を説明したが、弾性体の突起だけで構成することもでき、収納の自由度を上げることができる。
【００９２】
また、光ファイバ保持部品の外周部に、たとえば、深さが５ｍｍで幅あるいは長さが１０〜１５ｍｍの切り込み部を少なくとも１カ所設け、光ファイバ保持部品の表面と裏面にそれぞれ光ファイバ保持部品２００や光ファイバ保持部品２５０の表面に形成したような、あるいは前記のような光ファイバ収納部と接続部部品収納部を形成することにより、たとえばクロージャに用いて一層の小型化を図り、利便性を高めることができる。
【００９３】
また、本発明の光ファイバ保持部品２００と２５０は、前記の説明から明らかなように、収納している光ファイバを光ファイバ保持部品の周囲の任意のところから引き出すことができ、たとえば、前記第１の光ファイバと第２の光ファイバを１本の光ファイバに限ることなく、第１の光ファイバと第２の光ファイバとして複数本の光ファイバを取り扱うことができる。たとえば、第１の光ファイバが複数の光ファイバ心線を有する光ケーブルで、第２の光ファイバが分岐された光ファイバである場合に、分岐された１本の光ファイバだけを収納することもでき、複数本の光ファイバを識別できるように収納することもできる。
【００９４】
以上は実施例を参照して本発明の光ファイバ保持部品を説明したが、本発明はこれに狭く限定されるものではなく、本発明の前記技術思想を用いて、多くのバリエーションを可能とするものである。
【００９５】
たとえば、図示していないが、第１の光ファイバ収納部の中央部に設けた穴を凹凸形状にするなどして、本発明の光ファイバ保持部品の固定部として利用することができる。２枚の本発明の光ファイバ保持部品を重ねて一体化することができるように、光ファイバ保持部品の一方の側の表面では前記穴の周辺に凸部を形成し、他方の側の表面では前記穴の内側に前記凸部に対応するはめ込み部としての凹部を形成し、何段もの光ファイバ保持部品を簡単に着脱可能に重ねて実装することができる。
【産業上の利用可能性】
【００９６】
以上説明したように、本発明の光ファイバ保持部品は、接続部部品の両側に接続された両方の光ファイバを、各光ファイバの接続部部品に接続された側とは反対側の端子が他の外部端子などに接続固定されているか否かに関わらず、また、両方の光ファイバの長さが違っていても支障なく、前記接続部部品とともに、極めて小型に収納することができ、光ファイバが不必要に光ファイバ保持部品からでてしまい取扱中に破損するような事故を防ぐことができ、光通信における本線光ケーブル相互の接続、本線光ファイバケーブルからユーザビルへの分岐光ファイバケーブルの引き込み、あるいはユーザ個人宅へのドロップ光ファイバケーブルの引き込み等のクロージャに広く使用できるものである。そして、このような用途に限らず、光ファイバの広い普及に大きく貢献するものである。
【図面の簡単な説明】
【００９７】
【図１】本発明の実施の形態例としての光ファイバ保持部品を説明するための図である。
【図２】本発明の実施の形態例としての光ファイバ保持部品の断面図である。
【図３】本発明の実施の形態例としての光ファイバ保持部品の断面図である。
【図４】本発明の実施の形態例としての光ファイバ保持部品に光ファイバと接続部品を収納する方法を説明する図である。
【図５】本発明の実施の形態例としての光ファイバ保持部品に光ファイバと接続部品を収納する他の方法を説明する図である。
【図６】本発明の実施の形態例としての光ファイバ保持部品の平面図である。
【図７】本発明の実施の形態例としての光ファイバ保持部品の平面図に説明のための線を一部書き加えた図である。
【図８】本発明の実施の形態例としての光ファイバ保持部品の断面図である。
【図９】本発明の実施の形態例としての光ファイバ保持部品の断面図である。
【図１０】本発明の実施の形態例としての光ファイバ保持部品に光ファイバと接続部部品を収納する方法を説明する図である。
【図１１】本発明の実施の形態例としての光ファイバ保持部品２５０の好適な寸法例を説明する平面図である。
【図１２】本発明の実施の形態例としての光ファイバ保持部品２５０の好適な寸法例を説明する断面図である。
【図１３】本発明の実施の形態例としての光ファイバ保持部品２５０の好適な寸法例を説明する断面図である。
【符号の説明】
【００９８】
２００，２５０：光ファイバ保持部品
２０１，２０２，２０２ａ〜２０２ｄ，２０３ａ〜２０３ｆ，２０６ａ〜２０６ｄ，２０７ａ〜２０７ｃ，２５４ｂ，２５５ｂ：弾性体の突起
２０４，２０５，２５４，２５５：第１の光ファイバ収納部
２０４ａ，２０５ａ：リング状の構造物
２０４ｂ，２０５ｂ：リング状の構造物の外壁と第１の光ファイバ収納部の底面との境界線
２０４ｄ，２０５ｄ：リング状の構造物の中空になっている部分
２０４ｆ，２５４ｆ，２５５ｆ：光ファイバ保持部品の裏面を示す線
２１０，２６０：光ファイバ保持部品の表面
２１１：接続部部品
２１２：第１の光ファイバ
２１３：第２の光ファイバ
２１４：第２の光ファイバ収納部
２１５，２１６，２６５，２６６：接続部部品収納部
２５１：凹部
２５２：凹部の側壁
２５４ｃ，２５５ｃ：第１の光ファイバ収納部が形成されている位置を示す線
２５４ｄ，２５５ｄ：穴
２５７：第１の光ファイバ収納部の底面と同じ高さの面
２５８：接続部部品収納部の、他の部分よりも広く形成された部分
２６５ａ，２６６ａ：接続部部品収納部に形成されている貫通孔
２６５ｂ，２６６ｂ：接続部部品収納部の側壁
Ｒ，ｔ１〜ｔ５，Ｗ１〜Ｗ５，φ１〜φ５：寸法を説明する記号
θ：中心角
【図１】
2005326626.tif 000003
【図２】
2005326626.tif 000004
【図３】
2005326626.tif 000005
【図４】
2005326626.tif 000006
【図５】
2005326626.tif 000007
【図６】
2005326626.tif 000008
【図７】
2005326626.tif 000009
【図８】
2005326626.tif 000010
【図９】
2005326626.tif 000011
【図１０】
2005326626.tif 000012
【図１１】
2005326626.tif 000013
【図１２】
2005326626.tif 000014
【図１３】
2005326626.tif 000015